(57)【要約】  バスドラム（１）の打面ヘッド（３）が遮音板（１１）で覆われる。遮音板（１１）の接触部（１２）は、打面ヘッド（３）に接触する。接触部（１２）は、ビータ（８）による打撃位置を開放する開口部（１４）を有する。接触部（１２）の周縁に設けられる固定部（１３）がフープ（５）又は打面ヘッド（３）に固定される。接触部（１２）の少なくとも一部が打撃時に打面ヘッド（３）から離れて打撃後に再び打面ヘッド（３）と接触するので、バスドラム用消音具（１０）は、打撃音を低減させつつ、アコースティックのバスドラム（１）特有の音色を残存させることができる。
2017038226.tif 000002
【特許請求の範囲】
【請求項１】
フットペダルのビータで所定の打撃位置が打撃されることで打撃音を発生するアコースティックのバスドラムの打面ヘッドを覆う遮音板を備え、
前記遮音板は、前記ビータによる打撃位置を開放する開口部を有すると共に前記打面ヘッドに接触する接触部と、
前記接触部の周縁に設けられると共に、前記打面ヘッドに張力を付与するフープ又は前記打面ヘッドに固定される固定部とを備え、
非打撃時に前記打面ヘッドと接触する前記接触部の少なくとも一部が、前記ビータによる打撃時に前記打面ヘッドから離れると共に打撃後に再び前記打面ヘッドと接触することを特徴とするバスドラム用消音具。
【請求項２】
前記固定部は、弾性を有する合成樹脂製またはゴム製であり、前記フープに固定されることを特徴とする請求項１記載のバスドラム用消音具。
【請求項３】
前記バスドラムの共鳴ヘッドと接触する共鳴側遮音板を備えていることを特徴とする請求項１又は２に記載のバスドラム用消音具。
【請求項４】
所定の弾性を有し、前記ビータによる打撃位置に配置されると共に前記打面ヘッドに装着される被打撃部を備えていることを特徴とする請求項１から３のいずれかに記載のバスドラム用消音具。
【請求項５】
前記被打撃部は、前記開口部の内周に接触しないように前記開口部を塞ぐことを特徴とする請求項４記載のバスドラム用消音具。
【請求項６】
前記打面ヘッドに対する前記遮音板の高さと、前記打面ヘッドに対する前記被打撃部の高さとが同一であることを特徴とする請求項４又は５に記載のバスドラム用消音具。
【請求項７】
前記被打撃部は、所定の弾性を有すると共に前記ビータにより打撃される打面部と、前記打面部の周縁を支持すると共に前記打面部よりも剛性が高く設定される枠部とを備え、
前記枠部に取り付けられると共に振動を検出する振動センサを備えていることを特徴とする請求項４から６のいずれかに記載のバスドラム用消音具。
【請求項８】
フープと、前記フープにより張力が付与される打面ヘッドとを備え、請求項４から７のいずれかに記載のバスドラム用消音具が装着されるアコースティックのバスドラムにおいて、
前記被打撃部は、周縁に設けられる複数の取付具を介して前記打面ヘッドに装着され、
前記打面ヘッドは、前記複数の取付具に囲まれた部分を開放する打面開口部を備えていることを特徴とするバスドラム。
【発明の詳細な説明】
【技術分野】
【０００１】
本発明はバスドラム用消音具およびバスドラムに関する。特に、本発明は、打撃音を低減させつつ、アコースティックのバスドラム特有の音色を残存させることができるバスドラム用消音具およびバスドラムに関する。
【背景技術】
【０００２】
大音量での演奏を回避する必要がある環境下において、ドラムの演奏時に発生する音量を低減させる消音具が知られている。この消音具としては、例えば、開口部を設けた消音部材をドラム（タム）の打面ヘッドに全面接着または一体成形させ、開口部を通して打面ヘッドを打撃するものがある（特許文献１）。このような消音具は、消音部材により打面ヘッドの振動を早期に減衰させることで打撃音を低減できる。
【先行技術文献】
【特許文献】
【０００３】
【特許文献１】米国特許第４２５４６８５号明細書
【発明の概要】
【発明が解決しようとする課題】
【０００４】
しかし、特許文献１では、消音部材が打面ヘッドに全面接着または一体成形されることにより打面ヘッドの自由な振動が妨げられる。よって、特許文献１には、アコースティックのドラム特有の音色が損なわれるという問題点がある。【０００５】
本発明は上述した問題点を解決するためになされた。本発明は、打撃音を低減させつつ、アコースティックのバスドラム特有の音色を残存させることができるバスドラム用消音具およびバスドラムを提供することを目的とする。
【課題を解決するための手段および発明の効果】
【０００６】
この目的を達成するために、請求項１記載のバスドラム用消音具によれば、アコースティックのバスドラムの打面ヘッドが遮音板で覆われる。そのため、バスドラム用消音具は、フットペダルのビータで所定の打撃位置が打撃されることで発生する打面ヘッドからの打撃音を遮音板により遮って打撃音を低減できる。
【０００７】
遮音板の接触部は打面ヘッドに接触する。接触部の周縁に設けられる固定部は、打面ヘッドに張力を付与するフープ又は打面ヘッドに固定される。接触部は、ビータによる打撃位置を開放する開口部を有するので、ビータによる打撃時、開口部を通してビータで打面ヘッドを押すことができる。ビータが打面ヘッドを押している間は、非打撃時に打面ヘッドと接触する接触部の少なくとも一部が打面ヘッドから離れるので、遮音板と打面ヘッドとの接触面積が減少する。打面ヘッドと遮音板との接触によって打面ヘッドの自由な振動が妨げられることを抑制できるので、バスドラム用消音具は、アコースティックのバスドラム特有の音色を残存させることができる。
【０００８】
ビータによる打撃後、ビータが打面ヘッドを押さなくなると遮音板へ向かって打面ヘッドが移動する。打撃時に打面ヘッドから離れた部分の接触部が再び打面ヘッドと接触するので、遮音板と打面ヘッドとの接触面積が増加する。これにより、打撃後は打面ヘッドの振動を早期に減衰でき、打撃音を低減できる。従って、バスドラム用消音具は、打撃音を低減させつつ、アコースティックのバスドラム特有の音色を残存させることができる効果がある。
【０００９】
請求項２記載のバスドラム用消音具によれば、固定部は弾性を有する合成樹脂製またはゴム製であるので、固定部は接触部を介して打面ヘッドの振動を減衰できる。これにより、バスドラム用消音具は、遮音板による打撃音の低減性能を向上できる効果がある。
【００１０】
固定部がフープに固定されるので、バスドラム用消音具は、請求項１の効果に加え、固定部が打面ヘッドに固定される場合と比べて打面ヘッドの自由な振動が妨げられることを抑制できる効果がある。
【００１１】
請求項３記載のバスドラム用消音具によれば、バスドラムの共鳴ヘッドに共鳴側遮音板が接触しているので、共鳴ヘッドの振動を抑制できる。その結果、バスドラム用消音具は、請求項１又は２の効果に加え、打撃音を低減できる効果がある。
【００１２】
請求項４記載のバスドラム用消音具によれば、打面ヘッドに装着される被打撃部がビータによる打撃位置に配置される。そのため、打面ヘッドの代わりに被打撃部がビータで打撃され、打面ヘッドと被打撃部とを一体的に振動させることができる。これにより、バスドラム用消音具は、打撃による打面ヘッドの自由な振動が妨げられることを抑制でき、アコースティックのバスドラム特有の音色を残存させることができる効果がある。
【００１３】
被打撃部が所定の弾性を有するので、バスドラム用消音具は、被打撃部を打撃したときの衝撃を緩衝できると共に、打撃時に被打撃部を介して打面ヘッドへ伝達される衝撃を緩衝できる。これにより、バスドラム用消音具は、請求項１から３のいずれかの効果に加え、被打撃部の打撃によって発生する打撃音を低減できる効果がある。
【００１４】
請求項５記載のバスドラム用消音具によれば、開口部の内周に接触しないように被打撃部が開口部を塞ぐので、打面ヘッドから発生する音を開口部から漏れ難くできる。従って、バスドラム用消音具は、請求項４の効果に加え、打撃音の低減性能を向上できる効果がある。
【００１５】
請求項６記載のバスドラム用消音具によれば、打面ヘッドに対する遮音板の高さと、打面ヘッドに対する被打撃部の高さとが同一である。その結果、請求項４又は５の効果に加え、バスドラム用消音具を取り付けたバスドラムの見栄えを良くできる効果がある。
【００１６】
請求項７記載のバスドラム用消音具によれば、被打撃部は、所定の弾性を有すると共にビータにより打撃される打面部と、打面部の周縁を支持する枠部とを備えている。振動を検出する振動センサが枠部に取り付けられるので、バスドラム用消音具は、アコースティックのバスドラムを電子ドラムとして利用することができる。
【００１７】
枠部の剛性が打面部の剛性よりも高く設定されるので、バスドラム用消音具は、打面部の振動に比べて枠部の振動を単純にできる。振動が単純な枠部に振動センサが取り付けられるので、バスドラム用消音具は、振動の誤検出を抑制して振動の検出精度を向上できる効果がある。
【００１８】
さらに、遮音板により打面ヘッドの打撃後の振動を早期に減衰できるので、打面ヘッドと一体的に振動する被打撃部の振動も早期に減衰されることが期待できる。被打撃部の枠部に振動センサが取り付けられるので、打撃後の振動の誤検出を抑制して打撃時の振動の検出精度の向上が期待できる。従って、バスドラム用消音具は、請求項４から６のいずれかの効果に加え、振動センサによる振動の検出精度を向上できる効果がある。
【００１９】
請求項８記載のバスドラムは、アコースティックのドラムであり、フープと、フープにより張力が付与される打面ヘッドとを備える。さらに、バスドラムには、請求項４から７のいずれかに記載のバスドラム用消音具が取り付けられる。被打撃部の周縁に設けられる複数の取付具を介して被打撃部が打面ヘッドに取り付けられ、打面ヘッドには複数の取付具に囲まれた部分を開放する打面開口部が設けられる。被打撃部の位置に打面開口部が位置するので、バスドラムは、請求項４から７のいずれかの効果に加え、打撃音を低減できる効果がある。
【図面の簡単な説明】
【００２０】
【図１】（ａ）は本発明の第１実施の形態におけるバスドラム用消音具が装着されたバスドラムの斜視図である。（ｂ）はバスドラム用消音具が装着されたバスドラムの正面図である。
【図２】バスドラム及びバスドラム用消音具の分解立体図である。
【図３】（ａ）は被打撃部の正面図である。（ｂ）は被打撃部の背面図である。
【図４】（ａ）は図１（ｂ）のＩＶａ−ＩＶａ線における非打撃時のバスドラム及びバスドラム用消音具の断面図である。（ｂ）は被打撃部が打撃された状態を示すバスドラム及びバスドラム用消音具の断面図である。
【図５】第２実施の形態におけるバスドラム用消音具が装着されたバスドラムの斜視図である。
【図６】図５のＶＩ−ＶＩ線における非打撃時のバスドラム及びバスドラム用消音具の切断部端面図である。
【発明を実施するための形態】
【００２１】
以下、本発明の好ましい実施の形態について、添付図面を参照して説明する。まず、図１（ａ）、図１（ｂ）及び図２を参照して、本発明の第１実施の形態におけるバスドラム１及びバスドラム用消音具１０（以下「消音具１０」と称す）について説明する。図１（ａ）は本発明の第１実施の形態における消音具１０が装着されたバスドラム１の斜視図である。図１（ｂ）は消音具１０が装着されたバスドラム１の正面図（奏者側から見た図）である。図２はバスドラム１及び消音具１０の分解立体図である。
【００２２】
図１（ａ）、図１（ｂ）及び図２に示すように、バスドラム１は、円筒状のシェル２の両端を円形状の膜である打面ヘッド３及び共鳴ヘッド４で塞いだアコースティックの打楽器である。バスドラム１は、打面ヘッド３が打撃されることで打撃音を発生する。バスドラム１において、円環状のフープ５に掛けられるフック６ａが、シェル２に固定されるラグ６ｂとチューニングボルト６ｃで繋がれる。バスドラム１において、チューニングボルト６ｃを締めることでラグ６ｂへ向かってフック６ａが移動し、打面ヘッド３及び共鳴ヘッド４の周縁がフープ５に押されて打面ヘッド３及び共鳴ヘッド４に張力が付与される。
【００２３】
バスドラム１には、打面ヘッド３を打撃するためのフットペダル７が装着される。フットペダル７は、ペダル７ａの踏み込みに応じて回転するビータ８で打面ヘッド３を打撃する。ビータ８の位置や長さ等が奏者の好みに応じて設定されることで、ビータ８による打面ヘッド３の打撃位置が決定される。
【００２４】
なお、本実施の形態では、打面ヘッド３のビータ８による打撃位置に膜厚方向に貫通する円形状の打面開口部３ａが設けられ、消音具１０の被打撃部２０で打面開口部３ａが覆われる。打面ヘッド３の代わりに被打撃部２０が打撃されることで、バスドラム１は打撃音を発生する。ビータ８による打撃位置とは、被打撃部２０が装着されていない場合には打面ヘッド３がビータ８で打撃される位置であり、被打撃部２０が装着されている場合には被打撃部２０がビータ８で打撃される位置である。打面ヘッド３をビータ８で直接打撃する場合と比べて、被打撃部２０をビータ８で打撃する場合のビータ８による打撃位置が被打撃部２０の厚さの分だけ奏者側に位置する。そのため、フットペダル７は、バスドラム１との間にスペーサ９を介してバスドラム１に装着される。
【００２５】
消音具１０は、バスドラム１に装着され、演奏時に発生する音量を低減させる。消音具１０は、遮音板１１と、共鳴側遮音板１５と、被打撃部２０とを備えている。被打撃部２０は、ビータ８による打撃位置に配置されると共に打面ヘッド３の奏者側の面に装着される。
【００２６】
遮音板１１は、打面ヘッド３を覆う円板状に形成される。遮音板１１は、打面ヘッド３から発生する打撃音を遮って打撃音を低減させる。遮音板１１は、接触部１２と、固定部１３とを備えている。
【００２７】
接触部１２は、円板状の木製の部材であり、打面ヘッド３に接触する。接触部１２は、板厚方向に貫通する開口部１４が略中央に設けられる。接触部１２は、後述する取付具２３の円板部２４を避けるように打面ヘッド３側の面に段差部１２ａが設けられる。接触部１２が木製の部材なので、即ち、接触部１２が多孔質な素材なので接触部１２（遮音板１１）の吸音性能を向上でき、打撃音を低減できる。なお、木製の部材としては、例えば、パーティクルボードや集成材、繊維板、合板、単板などが挙げられる。
【００２８】
固定部１３は、軟質ポリウレタンフォーム製であり、円環状に形成される。固定部１３は、接触部１２の周縁の全周に設けられる。接触部１２に固定部１３を接着することで接触部１２と固定部１３とが一体化される。固定部１３は、フープ５に圧入できる程度に固定部１３の外径がフープ５の内径よりも僅かに大きく形成される。これにより、固定部１３をフープ５に圧入して固定することで、遮音板１１がバスドラム１に装着される。さらに、固定部１３の外径寸法は、演奏時の振動や衝撃等によって、フープ５に圧入された固定部１３がフープ５に対して移動しないように設定されることが好ましい。
【００２９】
開口部１４は、ビータ８による打撃位置を開放するための円形状の穴である。そのため、ビータ８は、開口部１４を通って被打撃部２０を打撃できる。開口部１４は、遮音板１１をバスドラム１に装着したときに打面開口部３ａに対して同心円状に位置し、打面開口部３ａよりも径が大きく形成される。これにより、消音具１０は、被打撃部２０を装着するためのスペースである打面ヘッド３の奏者側の面を開口部１４の内側に確保できる。
【００３０】
共鳴側遮音板１５は、軟質ポリウレタンフォーム製であり、円板状に形成される。共鳴側遮音板１５は、共鳴ヘッド４の奏者側の面と接触する。共鳴側遮音板１５の外径は、シェル２の内径よりも大きく、シェル２の外径よりも小さく形成される。シェル２の端部と共鳴ヘッド４との間に共鳴側遮音板１５を挟んだ状態で、フープ５によって共鳴ヘッド４に張力を付与することで、共鳴側遮音板１５がバスドラム１に固定される。共鳴側遮音板１５は、共鳴ヘッド４の振動を抑制できるので、打撃音を低減できる。また、共鳴ヘッド４の打面ヘッド３側に共鳴側遮音板１５が位置するので、打面ヘッド３の打撃による衝撃により共鳴側遮音板１５が共鳴ヘッド４へ向かって押される。その結果、共鳴側遮音板１５が共鳴ヘッド４から離れることを抑制できる。
【００３１】
次に図３（ａ）、図３（ｂ）及び図４（ａ）を参照して被打撃部２０について説明する。図３（ａ）は被打撃部２０の正面図（奏者側から見た図）である。図３（ｂ）は被打撃部２０の背面図である。図４（ａ）は図１（ｂ）のＩＶａ−ＩＶａ線における非打撃時のバスドラム１及び消音具１０の断面図である。なお、図４（ａ）はフック６ａ、ラグ６ｂ及びチューニングボルト６ｃが省略して図示されている。
【００３２】
図３（ａ）、図３（ｂ）及び図４（ａ）に示すように、被打撃部２０は、円形状に形成され、打面ヘッド３の代わりに打撃される。被打撃部２０は、打面ヘッド３と一体的に振動すると共に、ビータ８による打撃の衝撃を緩衝して打面ヘッド３へ伝達する。被打撃部２０は、打面開口部３ａを覆う。被打撃部２０は、打面部２１と、枠部２２と、取付具２３とを備えている。
【００３３】
枠部２２の奏者側には、ピエゾアクチュエータから構成される振動センサ２６が取り付けられている。従って、被打撃部２０をバスドラム１に装着することで、バスドラム１を電子ドラムとして利用することができる。
【００３４】
打面部２１は、ビータ８で打撃される打面を構成する。打面部２１は、伸縮可能な網状素材から構成される（所定の弾性を有する）膜状の部位である。なお、打面部２１は網状素材に限らず、フィルム状の素材や、弾性を有する合成樹脂、ゴムなどから構成することも可能である。打面部２１は、その弾性により、打面部２１を打撃したときの衝撃を緩衝できると共に、打撃時に被打撃部２０を介して打面ヘッド３へ伝達される衝撃を緩衝できる。その結果、被打撃部２０を打撃したとき、打面部２１は、被打撃部２０から発生する打撃音を低減できると共に、打面ヘッド３から発生する打撃音を低減できる。
【００３５】
枠部２２は、打面部２１の周縁を支持すると共に打面ヘッド３の奏者側に配置される。枠部２２は、合成樹脂製の円環状の部材である。これにより、枠部２２が金属製である場合と比較して、枠部２２を軽量化できる。被打撃部２０を軽量化できるので、消音具１０は、ビータ８で被打撃部２０を打撃したときに被打撃部２０の慣性によってビータ８が受ける衝撃（反動）を小さくできる。その結果、消音具１０は、アコースティックのバスドラム１を打撃したときの感触に近づけることができる。また、消音具１０は、被打撃部２０を軽量化できるので、ビータ８で被打撃部２０を打撃したときに、打面ヘッド３の自由な振動が妨げられることを抑制できる。その結果、消音具１０は、アコースティックのバスドラム１特有の音色を残存させることができる。さらに、枠部２２が合成樹脂製なので、張力が付与された状態の打面部２１と共に枠部２２をインサート成形することで、打面部２１の周縁部分が枠部２２に固定される。
【００３６】
枠部２２は、内径が打面開口部３ａの径よりも大きい寸法に形成され、外径が開口部１４の径よりも僅かに小さい寸法に形成される。枠部２２の外径と開口部１４の径との差は、好ましくは１ｍｍ以上２０ｍｍ以下であり、さらに好ましくは２ｍｍ以上１０ｍｍ以下である。消音具１０は、枠部２２の外径と開口部１４の径との差が小さい程、開口部１４からの音漏れを抑制でき、打撃音の低減性能を向上できる。消音具１０は、枠部２２の外径と開口部１４の径との差が大きい程、打撃された被打撃部２０が遮音板１１（開口部１４の内周）に接触することを抑制できる。その結果、被打撃部２０と遮音板１１との接触によって打面ヘッド３の自由な振動が妨げられることを抑制できる。
【００３７】
取付具２３は、枠部２２と打面ヘッド３との間に隙間を設けつつ、打面ヘッド３に被打撃部２０を装着するための部材である。取付具２３は、枠部２２に設けられると共に接着テープにより打面ヘッド３に接着される。取付具２３は、枠部２２の周方向に複数配置され、打面ヘッド３の打面開口部３ａの周りに取り付けられる。本実施の形態では、取付具２３は枠部２２の周方向に等間隔に５個配置されている。なお、取付具２３が５個配置される場合に限らず、取付具２３を４個以下または６個以上配置することは可能である。消音具１０は、枠部２２の全体を打面ヘッド３に接着させる場合と比べて、取付具２３により被打撃部２０と打面ヘッド３との接触面積を抑制できる。その結果、被打撃部２０との接触によって打面ヘッド３の自由な振動が妨げられることを抑制できる。
【００３８】
取付具２３は、ゴム製の部材である。なお、取付具２３はゴム製に限らず、弾性を有する合成樹脂製の取付具２３を用いることが可能である。取付具２３は、弾性を有するので、ビータ８の打撃によって被打撃部２０から打面ヘッド３へ伝達される衝撃を取付具２３により緩衝でき、打撃音を低減できる。
【００３９】
取付具２３は、円板部２４と、軸部２５とを備えている。円板部２４は、接着テープが貼り着けられて打面ヘッド３に接着される。円板部２４は、打面ヘッド３と取付具２３との接着面積を確保できるので、打面ヘッド３から被打撃部２０を脱落し難くできる。軸部２５は、円柱状に形成され、円板部２４に立設されると共に枠部２２に固定される。
【００４０】
次に、図４（ａ）に加え、図４（ｂ）を参照して、消音具１０の機能について説明する。図４（ｂ）は被打撃部２０が打撃された状態を示すバスドラム１及び消音具１０の断面図である。なお、図４（ｂ）はフック６ａ、ラグ６ｂ及びチューニングボルト６ｃが省略して図示されている。
【００４１】
図４（ａ）に示すように、ビータ８による非打撃時には接触部１２の片面の略全面が打面ヘッド３に接触している。図４（ｂ）に示すように、被打撃部２０がビータ８で打撃されると、被打撃部２０を介して打面ヘッド３がビータ８で押される。そのため、遮音板１１（接触部１２）から打面ヘッド３が離れ、打面ヘッド３と遮音板１１との接触面積が減少する。打面ヘッド３と遮音板１１との接触によって打面ヘッド３の自由な振動が妨げられることを抑制できるので、消音具１０は、アコースティックのバスドラム１特有の音色を残存させることができる。
【００４２】
ビータ８による打撃後、被打撃部２０からビータ８が離れ、被打撃部２０を介して打面ヘッド３がビータ８で押されなくなると、遮音板１１へ向かって打面ヘッド３が移動する。これにより、打面ヘッド３と遮音板１１との接触面積が増加する。消音具１０は、打面ヘッド３と遮音板１１との接触によって打面ヘッド３の振動を早期に減衰できるので、打撃後の打撃音を低減できる。従って、消音具１０は、打撃音を低減させつつ、アコースティックのバスドラム１特有の音色を残存させることができる。
【００４３】
非打撃時には接触部１２の片面（打面ヘッド３側の面）の略全面が打面ヘッド３に接触している、即ち、遮音板１１（接触部１２）と打面ヘッド３とが密着している。そのため、被打撃部２０がビータ８で打撃されて打面ヘッド３が遮音板１１（接触部１２）から離れるときに遮音板１１と打面ヘッド３との間が減圧される。これにより、消音具１０は、打撃時に打面ヘッド３を遮音板１１から離れ難くできるので、打面ヘッド３の振幅を小さくでき、打撃音を低減できる。さらに、消音具１０は、フープ５に圧入される固定部１３により固定部１３とフープ５との間が密閉されるので、遮音板１１と打面ヘッド３との間への空気の進入経路を開口部１４側に限定できる。その結果、消音具１０は、遮音板１１から打面ヘッド３をより離れ難くできるので、打面ヘッド３の振幅をより小さくでき、打撃音をより低減できる。また、消音具１０は、打撃時に打面ヘッド３の振幅が最も大きくなる部分である被打撃部２０の位置に打面開口部３ａが位置するので、打撃音を低減できる。
【００４４】
消音具１０は、段差部１２ａにより円板部２４と接触部１２との干渉を防止できるので、打面ヘッド３と接触部１２との接触面積を確保できる。消音具１０は、打撃後、遮音板１１との接触による打面ヘッド３の振動の減衰性能を確保できるので、打撃音の低減性能を確保できる。また、演奏時の振動や衝撃等によって、フープ５に圧入された固定部１３がフープ５に対して移動しないように固定部１３の外径寸法が設定される。その結果、消音具１０は、演奏中に打撃音の低減性能が低下しないようにでき、打撃音の低減性能を確保できる。
【００４５】
固定部１３は、軟質ポリウレタンフォーム製なので、接触部１２を介して打面ヘッド３の振動を減衰できる。これにより、消音具１０は、遮音板１１による打撃音の低減性能を向上できる。また、固定部１３がフープ５に固定されるので、消音具１０は、固定部１３が打面ヘッド３に固定される場合と比べて打面ヘッド３の自由な振動が妨げられることを抑制できる。
【００４６】
固定部１３がフープ５に固定される場合、打撃時の打面ヘッド３からの振動が固定部１３を介してフープ５に伝達されることで、シェル２（バスドラム１全体）が振動して異音を発生するおそれがある。しかし、固定部１３が軟質ポリウレタンフォーム製なので、消音具１０は、固定部１３を介してフープ５に伝達される振動を減衰できる。よって、消音具１０は、シェル２（バスドラム１全体）が振動することによる異音の発生を抑制できる。
【００４７】
合成樹脂製の枠部２２は、網状素材である打面部２１よりも剛性が高いので、打撃による打面部２１の振動や打面ヘッド３の振動に比べて枠部２２の振動を単純にできる。振動が単純な枠部２２に振動センサ２６が取り付けられるので、消音具１０は、振動の誤検出を抑制して振動の検出精度を向上できる。
【００４８】
奏者の好みに応じてビータ８の長さが設定されることで、ビータ８による打撃位置は上下に変化する。また、２つのビータ８を有するツインペダルをフットペダル７の代わりに奏者が用いる場合、ビータ８による打撃位置が左右に広がる。これらのビータ８による打撃位置に打面部２１が位置するように打面部２１の寸法が設定される。打面部２１に振動センサ２６が取り付けられる場合、ビータ８による打撃位置によって振動センサ２６の感度が変化することがある。本実施の形態では打面部２１の周縁を支持する枠部２２に振動センサ２６が取り付けられるので、消音具１０は、ビータ８による打撃位置が異なっても振動センサ２６の感度分布を均一にできる。
【００４９】
消音具１０は、遮音板１１により打面ヘッド３の打撃後の振動を早期に減衰できるので、打面ヘッド３と一体的に振動する被打撃部２０の振動も早期に減衰させることが期待できる。被打撃部２０の枠部２２に振動センサ２６が取り付けられるので、消音具１０は、打撃後の振動の誤検出を抑制して打撃時の振動の検出精度の向上が期待できる。
【００５０】
振動センサ２６を取り付けたバスドラム１の近くに置いたアコースティックのスネアドラムやタム（図示せず）を奏者が鳴らす場合、バスドラム１の打面ヘッド３が共鳴することがある。その共鳴による打面ヘッド３の振動を振動センサ２６が検出して、振動センサ２６に繋いだスピーカ等が誤発音することがある。しかし、本実施の形態では、打面ヘッド３に遮音板１１が接触している。そのため、消音具１０は、打面ヘッド３が共鳴により振動することを抑制できると共に、打面ヘッド３が共鳴したとしても打面ヘッド３の振動を小さくできる。従って、消音具１０は、共鳴による打面ヘッド３の振動の誤検出を抑制して誤発音を抑制できる。
【００５１】
次に図５及び図６を参照して第２実施の形態におけるバスドラム用消音具３１（以下「消音具３１」と称す）について説明する。第１実施の形態では、被打撃部２０が打面ヘッド３の奏者側の面に装着される場合について説明した。これに対し第２実施の形態では、被打撃部４０が打面ヘッド３の共鳴ヘッド４側の面に装着される場合について説明する。なお、第１実施の形態と同一の部分については、同一の符号を付して以下の説明を省略する。
【００５２】
図５は第２実施の形態における消音具３１が装着されたバスドラム３０の斜視図である。図６は図５のＶＩ−ＶＩ線における非打撃時のバスドラム３０及び消音具３１の切断部端面図である。図５及び図６に示すように、消音具３１は、バスドラム３０に装着され、演奏時に発生する音量を低減させる。消音具３１は、遮音板３２と、被打撃部４０とを備えている。被打撃部４０は、円形状に形成され、打面ヘッド３の共鳴ヘッド４側の面に装着される。被打撃部４０は、打面開口部３ａを通して奏者側に張り出すことで、打面ヘッド３の代わりにビータ８で打撃される。
【００５３】
遮音板３２は、円板状に形成され、打面ヘッド３を覆う。遮音板３２は、打面ヘッド３から発生する打撃音を遮って打撃音を低減させる。遮音板３２は、接触部１２と、固定部３３とを備えている。接触部１２は、円板状の木製の部材であり、打面ヘッド３に接触する。接触部１２は、板厚方向に貫通する円形状の開口部３６が略中央に設けられる。接触部１２は、後述する取付具４１の円板部４２を避けるように打面ヘッド３側の面に段差部１２ａが設けられる。
【００５４】
固定部３３は、ウレタンゴム製であり、円環状に形成される。固定部３３は、接触部１２の周縁の略全周に設けられる。固定部３３は、周縁からフープ５に沿って固定部３３の軸直方向外側へ延びるウレタンゴム製の延出部３４が一体に形成される。なお、延出部３４は、ウレタンゴム製に限らず、固定部３３の材質とは異なる非金属製や金属製にすることが可能である。この場合、延出部３４を固定部３３に埋め込んだり延出部３４を固定部３３に接着したりすることで固定部３３と延出部３４とが一体化される。
【００５５】
固定部３３は、接触部１２の外周面に接着される。打面ヘッド３に遮音板３２を重ねた状態でフープ５が取り付けられることで、打面ヘッド３とフープ５との間に延出部３４が挟まれ、シェル２に遮音板３２が固定される。これにより、消音具３１は、演奏時の振動や衝撃等によって、遮音板３２が打面ヘッド３から離れることを防止できる。
【００５６】
開口部３６は、ビータ８による打撃位置を開放するための円形状の穴である。そのため、ビータ８は、開口部３６を通って被打撃部４０を打撃できる。開口部３６は、遮音板３２をバスドラム３０に装着したときに打面開口部３ａに対して同心円状に配置され、打面開口部３ａよりも僅かに径が大きい。これにより、消音具３１は、打面開口部３ａから張り出す被打撃部４０と開口部３６との隙間を小さくしつつ、打撃された被打撃部４０が遮音板３２（開口部３６の内周）に接触することを抑制できる。その結果、消音具３１は、被打撃部４０と開口部３６との間からの音漏れを少なくできると共に、被打撃部４０と遮音板３２との接触によって打面ヘッド３の自由な振動が妨げられることを抑制できる。
【００５７】
被打撃部４０は、打面ヘッド３の代わりにビータ８で打撃されることで、打面ヘッド３と一体的に振動すると共に、ビータ８による打撃の衝撃を緩衝して打面ヘッド３へ伝達する。被打撃部４０は、打面ヘッド３の共鳴ヘッド４側の面に装着されると共に打面開口部３ａから奏者側に張り出す。これにより、被打撃部４０は、ビータ８で打撃される場合の打撃位置を、打面ヘッド３を直接打撃する場合の打撃位置に近づけることができる。そのため、バスドラム３０とフットペダル７との間にスペーサを設ける必要はなく、バスドラム３０にフットペダル７を直接装着できる。なお、バスドラム３０にフットペダル７が直接装着されるので、遮音板３２は、フットペダル７と干渉しないように下部の縁を切り欠いて切欠部３２ａを設けている。
【００５８】
被打撃部４０は、打面部２１と、枠部２２と、取付具４１と、クッション部４７と、硬質体４８とを備えている。枠部２２は、打面ヘッド３の共鳴ヘッド４側に配置される。クッション部４７及び硬質体４８が打面開口部３ａから奏者側に張り出す部位である。
【００５９】
被打撃部４０の枠部２２の共鳴ヘッド４側に、ピエゾアクチュエータから構成される振動センサ２６が取り付けられる。従って、消音具３１は、被打撃部４０をバスドラム３０に装着することで、バスドラム３０を電子ドラムとして利用することができる。なお、振動センサ２６からの配線（図示せず）をバスドラム３０の外部の機器（図示せず）に繋ぐには、被打撃部４０と開口部３６との間から配線を通す場合や、打面ヘッド３及び遮音板３２の任意の位置に空けた穴（図示せず）に配線を通す場合が挙げられる。
【００６０】
取付具４１は、枠部２２を打面ヘッド３に取り付けるためのゴム製のピンである。取付具４１は、円板部４２と、軸部４３とを備えている。軸部４３は、円板部４２の中心に立設される円柱状の部位である。枠部２２を軸方向に貫通して設けられる断面円形状の貫通孔２２ａ、及び、打面ヘッド３を膜厚方向に円形状に貫通して設けられる貫通孔３ｂに軸部４３が圧入されることで、打面ヘッド３に被打撃部４０が装着される。なお、取付具４１はゴム製に限らず、弾性を有する合成樹脂製の取付具４１を用いることが可能である。
【００６１】
貫通孔２２ａは、小径部２２ｂと、大径部２２ｃとを備える。大径部２２ｃは、小径部２２ｂよりも打面ヘッド３側に位置し、小径部２２ｂよりも径が大きい。貫通孔２２ａは、枠部２２の周方向の５箇所に等間隔に設けられる。貫通孔３ｂは、大径部２２ｃと略同一の径の穴である。貫通孔３ｂは、打面開口部３ａの周りであって貫通孔２２ａに対応する位置にそれぞれ設けられる。
【００６２】
軸部４３は、貫通孔３ｂ及び大径部２２ｃと略同一の径である。軸部４３は、先端部４４と、円環部４５と、溝部４６とを備えている。
【００６３】
先端部４４は、貫通孔２２ａ及び貫通孔３ｂに軸部４３を挿入し易くするための部位である。先端部４４は、先端へ向かって徐々に縮径するテーパ状に形成される。円環部４５は、貫通孔３ｂに軸部４３を挿入し易くすると共に、円板部４２との間に打面ヘッド３を嵌めることで軸部４３を打面ヘッド３に固定するための部位である。円環部４５は、円板部４２との間に打面ヘッド３の膜厚分の間隔を設けて円環状に拡径される。溝部４６は、先端部４４及び円環部４５の間に設けられる凹状の部位である。溝部４６は、小径部２２ｂと略同一の径であり、小径部２２ｂと略同一の長さである。そのため、小径部２２ｂを溝部４６に嵌めることで、軸部４３を枠部２２に固定できる。
【００６４】
軸部４３は、貫通孔２２ａの大径部２２ｃの長さよりも、円板部４２から溝部４６までの長さが大きくなるように設定される。そのため、消音具３１は、枠部２２と打面ヘッド３との間に隙間を設けつつ、打面ヘッド３に被打撃部４０を装着できる。消音具３１は、枠部２２の全体を打面ヘッド３に接着させる場合と比べて、取付具４１により被打撃部４０と打面ヘッド３との接触面積を抑制できる。その結果、被打撃部４０との接触によって打面ヘッド３の自由な振動が妨げられることを抑制できる。
【００６５】
クッション部４７は、円柱状の軟質ポリウレタンフォーム製であり、打面部２１の奏者側の面に取り付けられる。クッション部４７は、外径が打面開口部３ａの径よりも僅かに小さい寸法に形成される。これにより、打撃時、クッション部４７が打面ヘッド３（打面開口部３ａの内周）に接触することを防止できる。その結果、消音具３１は、ゴム製の取付具４１を介して互いに接続される打面ヘッド３及び被打撃部４０のそれぞれの自由な振動が妨げられることを抑制できる。
【００６６】
硬質体４８は、円形状の織布であり、クッション部４７の打面部２１に取り付けられる面とは反対側の面に設けられる。硬質体４８は、クッション部４７よりも硬質であり、クッション部４７の外径寸法と略同じ寸法に形成される。なお、クッション部４７は軟質ポリウレタンフォーム製に限らず、その他の軟質の発泡合成樹脂を用いることが可能である。硬質体４８は織布に限らず、不織布やゴムシートなどを用いることは可能であり、クッション部４７よりも硬質で耐摩耗性の高いものが好ましい。
【００６７】
ビータ８により硬質体４８が打撃されると、消音具３１は、クッション部４７により打面部２１への衝撃を緩衝できる。これにより、消音具３１は、被打撃部４０が打撃されることで発生する打撃音を低減できる。硬質体４８は、クッション部４７よりも硬質なので撓み難い。これにより、ビータ８による打撃位置は略一定であるが、消音具３１は、打撃時に硬質体４８からクッション部４７や打面部２１に加わる衝撃を分散させることができる。これにより、クッション部４７及び打面部２１の一部に衝撃が集中することに起因してクッション部４７の一部が劣化することを抑制できると共に、打面部２１の一部が伸びることを抑制できる。その結果、消音具３１は、クッション部４７及び打面部２１の耐久性を向上できる。
【００６８】
被打撃部４０は、ビータ８により打撃される面である。被打撃部４０は、最も奏者側に位置する面である硬質体４８までの打面ヘッド３からの高さが、打面ヘッド３から遮音板３２の奏者側の面までの高さと同一になるように設定される。これにより、消音具３１を取り付けたバスドラム３０の見栄えを良くできる。
【００６９】
以上、実施の形態に基づき本発明を説明したが、本発明は上記実施の形態に何ら限定されるものではなく、本発明の趣旨を逸脱しない範囲内で種々の改良変形が可能であることは容易に推察できる。例えば、上記各実施の形態では、打面ヘッド３に被打撃部２０，４０が装着される場合について説明したが、必ずしもこれに限られるものではない。被打撃部２０，４０を省略することは当然可能である。この場合、被打撃部２０，４０が装着される位置の打面ヘッド３に設けられた打面開口部３ａも省略することで、ビータ８は開口部１４，３６を通して打面ヘッド３を直接打撃できる。
【００７０】
上記第１実施の形態では、打面ヘッド３に打面開口部３ａが設けられる場合について説明したが、必ずしもこれに限られるものではない。打面開口部３ａを省略することは当然可能である。即ち、打面開口部３ａを設けないで被打撃部２０を打面ヘッド３に装着することは当然可能である。
【００７１】
上記第１実施の形態では、被打撃部２０が打面ヘッド３の奏者側の面に装着される場合について説明した。また、上記第２実施の形態では、被打撃部４０が打面ヘッド３の共鳴ヘッド４側の面に装着される場合について説明した。しかし、必ずしもこれらに限られるものではない。打面部２１を打面開口部３ａの位置に配置した状態で、打面ヘッド３及び打面部２１を１対の枠部で両側から挟み込むことで、被打撃部を打面ヘッド３に装着することは当然可能である。
【００７２】
上記第１実施の形態では、打面部２１と枠部２２と取付具２３とを備える被打撃部２０について説明した。また、第２実施の形態では、打面部２１、枠部２２及び取付具４１に加えクッション部４７と硬質体４８とを備える被打撃部４０について説明した。しかし、必ずしもこれらに限られるものではない。打面部２１、枠部２２及び取付具２３，４１を省略して打面ヘッド３にクッション部４７を接着等により直接取り付けることは当然可能である。また、打面部２１を省略してクッション部４７の周縁を枠部２２で支持することも可能である。また、取付具２３を省略して枠部２２の全体を打面ヘッド３に取り付けることも可能である。
【００７３】
また、被打撃部２０にクッション部４７及び硬質体４８を適用することは当然可能である。この場合、打面部２１に対する枠部２２の高さと同一になるように、打面部２１に対する硬質体４８の高さを設定することで、被打撃部２０の見栄えをよくできる。さらに、打面ヘッド３に対する被打撃部２０（枠部２２及び硬質体４８）の高さと、打面ヘッド３に対する遮音板１１の高さとが同一になるように設定することが可能である。これにより、消音具１０を取り付けたバスドラム１の見栄えをさらに良くできる。
【００７４】
上記各実施の形態では、接触部１２の周縁の略全周に固定部１３，３３が設けられる場合について説明したが、必ずしもこれに限られるものではない。接触部１２の周縁の一部に固定部を設けることは当然可能である。
【００７５】
上記各実施の形態では、固定部１３，３３がフープ５に固定される場合について説明したが、必ずしもこれに限られるものではない。固定部を打面ヘッド３に接着して固定することも可能である。この場合、固定部とフープ５との間に所定の隙間が空くように固定部（遮音板）の寸法または形状を設定することで、遮音板により打面ヘッド３の一部を覆うことが可能である。また、フック６ａと打面ヘッド３との間に固定部を挟むことで、固定部を打面ヘッド３に固定することも可能である。また、フープ５に固定部を接着して固定することも可能である。
【００７６】
上記各実施の形態では、接触部１２が木製の部材である場合について説明したが、必ずしもこれに限られるものではない。打撃時の衝撃によって接触部が変形したとしても、ビータ８で押されている打面ヘッド３と接触しない程度の剛性を有すれば、接触部の素材は適宜変更可能である。例えば、合成樹脂製やゴム製の接触部が挙げられる。特に、硬質の発泡合成樹脂や、発泡ゴムを接触部に用いることで、接触部（遮音板）の吸音特性を向上でき、打撃音を低減できる。硬質の発泡合成樹脂としては、ポリウレタンフォーム、ポリイソシアヌレートフォーム、フェノールフォーム、ポリスチレンフォーム、ポリエチレンフォーム、ポリプロピレンフォームなどが挙げられる。
【００７７】
上記第１実施の形態では、固定部１３が軟質ポリウレタンフォーム製である場合について説明した。また、上記第２実施の形態では固定部３３がウレタンゴム製である場合について説明した。しかし、必ずしもこれらに限られるものではない。その他の軟質の発泡合成樹脂（ポリエチレンフォーム、ポリオレフィンフォーム、ポリ塩化ビニルフォーム、メラミンフォーム、ポリイミドフォームなど）や、その他のゴムを固定部に用いることは当然可能である。また、弾性を有する熱可塑性エラストマ等の合成樹脂を固定部に用いることも可能である。なお、接触部および固定部の素材が同一の場合、接触部と固定部とを一体に成形することが可能である。また、接触部および固定部の素材が異なる場合でも素材の組み合わせによっては、二色成形などで接触部と固定部とを熱融着して接触部と固定部とを一体に成形することが可能である。
【００７８】
上記各実施の形態では、共鳴側遮音板１５が軟質ポリウレタンフォーム製である場合について説明したが、必ずしもこれに限られるものではない。共鳴側遮音板１５の素材は適宜変更可能である。例えば、その他の合成樹脂や、ゴム、木材、布などを共鳴側遮音板に用いることは当然可能である。特に、バスドラム用消音具は、発泡合成樹脂や発泡ゴムを共鳴側遮音板に用いることで、共鳴側遮音板の吸音特性を向上でき、打撃音を低減できる。
【００７９】
上記第１実施の形態では、シェル２の端部と共鳴ヘッド４との間に共鳴側遮音板１５が挟まれて固定される場合について説明したが、必ずしもこれに限れるものではない。共鳴側遮音板１５の周縁に弾性を有する合成樹脂やゴムを設け、共鳴側遮音板１５をシェル２に圧入して固定することや、共鳴ヘッド４に共鳴側遮音板１５を接着して固定することは当然可能である。共鳴ヘッド４に共鳴側遮音板１５を接着する場合、共鳴側遮音板１５をシェル２と接触しないように共鳴ヘッド４の打面ヘッド３側の面に全面接着することが好ましい。このときの共鳴側遮音板１５は、シェル２の内径よりも僅かに小さい外径を有し、厚さが約１０ｍｍの軟質ポリウレタンフォーム製であることが好ましい。また、共鳴ヘッド４の打面ヘッド３側とは反対側の面に共鳴側遮音板１５を接着することも可能である。この場合、共鳴ヘッド４と共鳴側遮音板１５とが接着されているので、打撃時の衝撃によって共鳴側遮音板１５が共鳴ヘッド４から離れることを防止できる。
【００８０】
また、共鳴ヘッド４を省略して、フープ５で共鳴側遮音板１５の周縁を押して共鳴側遮音板１５のみをシェル２に固定することも可能である。さらに、共鳴ヘッド４の有無に係わらず、共鳴側遮音板１５を省略することも可能である。
【００８１】
また、共鳴ヘッド４に開口を設け、その開口を共鳴ヘッド４の内側（打面ヘッド３側）から共鳴側遮音板１５で塞ぐことが可能である。このときの共鳴側遮音板１５は、シェル２の内径と同じか、それよりも僅かに小さい外径であり、厚さが数ｍｍ程度の発泡合成樹脂で構成されて所定の通気性を有する。つまり、開口を設けた共鳴ヘッド４の内側に、通気性を有する共鳴側遮音板１５が接着される。これにより、バスドラム用消音具は、打面ヘッド３が打撃されたときにシェル２内で圧縮された空気を、共鳴ヘッド４に設けた開口および共鳴側遮音板１５から適度にシェル２外へ排出できる。その結果、バスドラム用消音具は、共鳴ヘッド４の振動を抑制でき、打撃音を低減できる。なお、バスドラム用消音具は、共鳴側遮音板１５の外周側のみを共鳴ヘッド４に接着することで、シェル２内の空気を外部へより適度に排出でき、打撃音をより低減できる。
【００８２】
上記第１実施の形態では、取付具２３の接着テープにより打面ヘッド３に接着されて打面ヘッド３に被打撃部２０が装着される場合について説明した。また、上記第２実施の形態では、ピンである取付具４１により打面ヘッド３に被打撃部４０が装着される場合について説明した。しかし、必ずしもこれらに限られるものではない。取付具として吸盤や粘着剤、ボルト及びナットなどを用いて打面ヘッド３に被打撃部を装着することは当然可能である。
【００８３】
上記各実施の形態では、被打撃部２０，４０にピエゾアクチュエータから構成される振動センサ２６が取り付けられる場合について説明したが、必ずしもこれに限られるものではない。電磁誘導型の振動センサや静電容量型の振動センサを用いることは当然可能である。また、振動センサ２６を取り付けずに、消音具１０，３１を装着したバスドラム１，３０を練習用のバスドラムとして使用することも可能である。
【００８４】
上記第１，２実施の形態における被打撃部２０，４０に錘を取り付けることが可能である。消音具１０，３１は、その錘の質量により被打撃部２０，４０が装着される打面ヘッド３の振動を抑制でき、打撃音を低減できる。例えば、第２実施の形態では、被打撃部４０の枠部２２の外径と略同じ外径を有する鉄製等の板材を錘とし、その板材を枠部２２の共鳴ヘッド４側に取付具４１で固定することが可能である。より詳しくは、枠部２２の貫通孔２２ａの小径部２２ｂと同じ位置に同じ径の貫通孔を板材に設け、枠部２２の貫通孔２２ａに取付具４１の軸部４３を圧入する。さらにその後、板材の貫通孔に軸部４３を圧入することで、板材を被打撃部４０に取り付けることができる。さらに、その板材に別の板材をボルト及びナットやリベット等で装着したり、板材の材質や厚さを変えて板材の質量を変えたりすることで、被打撃部４０に取り付ける錘（板材）の質量を調整できる。
【００８５】
また、被打撃部４０に取り付けた板材の共鳴ヘッド４側の中心に振動センサ２６を取り付けることで、被打撃部４０からの振動を振動センサ２６に均等に伝えることができる。その結果、バスドラム用消音具は、ビータ８による打撃位置が異なっても振動センサ２６の感度分布を均一にできる。
【００８６】
また、被打撃部４０に取り付けた板材と打面部２１との間に発泡合成樹脂等のクッションを挟むことも可能である。そのクッションにより板材と打面部２１との間の空気の振動を抑制できるので、バスドラム用消音具はさらに打撃音を低減できる。
【符号の説明】
【００８７】
１，３０    バスドラム
３          打面ヘッド
３ａ        打面開口部
５          フープ
７          フットペダル
８          ビータ
１０，３１  バスドラム用消音具
１１，３２  遮音板
１２        接触部
１３，３３  固定部
１４，３６  開口部
１５        共鳴側遮音板
２０，４０  被打撃部
２１        打面部
２２        枠部
２３，４１  取付具
２６        振動センサ
【図１】
2017038226.tif 000003
【図２】
2017038226.tif 000004
【図３】
2017038226.tif 000005
【図４】
2017038226.tif 000006
【図５】
2017038226.tif 000007
【図６】
2017038226.tif 000008
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
フットペダルのビータで所定の打撃位置が打撃されることで打撃音を発生するアコースティックのバスドラムの打面ヘッドを覆う遮音板を備え、
前記遮音板は、前記ビータによる打撃位置を開放する開口部を有すると共に前記打面ヘッドに接触する接触部と、
前記接触部の周縁に設けられると共に、前記打面ヘッドに張力を付与するフープ又は前記打面ヘッドに固定される固定部とを備え、
非打撃時に前記打面ヘッドと接触する前記接触部の少なくとも一部が、前記ビータによる打撃時に前記打面ヘッドから離れると共に打撃後に再び前記打面ヘッドと接触し、
前記接触部は、前記打面ヘッドが前記ビータに押されている間中、打撃時に前記打面ヘッドから離れる前記接触部の少なくとも一部が前記打面ヘッドと接触しない剛性を有することを特徴とするバスドラム用消音具。
【請求項２】
前記固定部は、弾性を有する合成樹脂製またはゴム製であり、前記フープに接触した状態で前記フープに固定されることを特徴とする請求項１記載のバスドラム用消音具。
【請求項３】
前記バスドラムの共鳴ヘッドと接触する共鳴側遮音板を備えていることを特徴とする請求項１又は２に記載のバスドラム用消音具。
【請求項４】
所定の弾性を有し、前記ビータによる打撃位置に配置されると共に前記打面ヘッドに装着される被打撃部を備えていることを特徴とする請求項１から３のいずれかに記載のバスドラム用消音具。
【請求項５】
前記被打撃部は、前記開口部の内周に接触しないように前記開口部を塞ぐことを特徴とする請求項４記載のバスドラム用消音具。
【請求項６】
前記打面ヘッドに対する前記遮音板の高さと、前記打面ヘッドに対する前記被打撃部の高さとが同一であることを特徴とする請求項４又は５に記載のバスドラム用消音具。
【請求項７】
前記被打撃部は、所定の弾性を有すると共に前記ビータにより打撃される打面部と、前記打面部の周縁を支持すると共に前記打面部よりも剛性が高く設定される枠部とを備え、
前記枠部に取り付けられると共に振動を検出する振動センサを備えていることを特徴とする請求項４から６のいずれかに記載のバスドラム用消音具。
【請求項８】
フープと、前記フープにより張力が付与される打面ヘッドとを備え、請求項４から７のいずれかに記載のバスドラム用消音具が装着されるアコースティックのバスドラムにおいて、
前記被打撃部は、周縁に設けられる複数の取付具を介して前記打面ヘッドに装着され、
前記打面ヘッドは、前記複数の取付具に囲まれた部分を開放する打面開口部を備えていることを特徴とするバスドラム。
【手続補正２】
【補正対象書類名】明細書
【補正対象項目名】全文
【補正方法】変更
【補正の内容】
【発明の詳細な説明】
【技術分野】
【０００１】
本発明はバスドラム用消音具およびバスドラムに関する。特に、本発明は、打撃音を低減させつつ、アコースティックのバスドラム特有の音色を残存させることができるバスドラム用消音具およびバスドラムに関する。
【背景技術】
【０００２】
大音量での演奏を回避する必要がある環境下において、ドラムの演奏時に発生する音量を低減させる消音具が知られている。この消音具としては、例えば、開口部を設けた消音部材をドラム（タム）の打面ヘッドに全面接着または一体成形させ、開口部を通して打面ヘッドを打撃するものがある（特許文献１）。このような消音具は、消音部材により打面ヘッドの振動を早期に減衰させることで打撃音を低減できる。
【先行技術文献】
【特許文献】
【０００３】
【特許文献１】米国特許第４２５４６８５号明細書
【発明の概要】
【発明が解決しようとする課題】
【０００４】
しかし、特許文献１では、消音部材が打面ヘッドに全面接着または一体成形されることにより打面ヘッドの自由な振動が妨げられる。よって、特許文献１には、アコースティックのドラム特有の音色が損なわれるという問題点がある。
【０００５】
本発明は上述した問題点を解決するためになされた。本発明は、打撃音を低減させつつ、アコースティックのバスドラム特有の音色を残存させることができるバスドラム用消音具およびバスドラムを提供することを目的とする。
【課題を解決するための手段および発明の効果】
【０００６】
この目的を達成するために、請求項１記載のバスドラム用消音具によれば、アコースティックのバスドラムの打面ヘッドが遮音板で覆われる。そのため、バスドラム用消音具は、フットペダルのビータで所定の打撃位置が打撃されることで発生する打面ヘッドからの打撃音を遮音板により遮って打撃音を低減できる。
【０００７】
遮音板の接触部は打面ヘッドに接触する。接触部の周縁に設けられる固定部は、打面ヘッドに張力を付与するフープ又は打面ヘッドに固定される。接触部は、ビータによる打撃位置を開放する開口部を有するので、ビータによる打撃時、開口部を通してビータで打面ヘッドを押すことができる。打撃時にビータが打面ヘッドを押している間中は、接触部の剛性によって、非打撃時に打面ヘッドと接触する接触部の少なくとも一部が打面ヘッドから離れるので、遮音板と打面ヘッドとの接触面積が減少する。打撃時の一瞬だけでなく、ビータが打面ヘッドを押している間中は、打面ヘッドと遮音板との接触によって打面ヘッドの自由な振動が妨げられることを抑制できるので、バスドラム用消音具は、アコースティックのバスドラム特有の音色を残存させることができる。
【０００８】
ビータによる打撃後、ビータが打面ヘッドを押さなくなると遮音板へ向かって打面ヘッドが移動する。打撃時に打面ヘッドから離れた部分の接触部が再び打面ヘッドと接触するので、遮音板と打面ヘッドとの接触面積が増加する。これにより、打撃後は打面ヘッドの振動を早期に減衰でき、打撃音を低減できる。従って、バスドラム用消音具は、打撃音を低減させつつ、アコースティックのバスドラム特有の音色を残存させることができる効果がある。
【０００９】
請求項２記載のバスドラム用消音具によれば、固定部は弾性を有する合成樹脂製またはゴム製であるので、固定部は接触部を介して打面ヘッドの振動を減衰できる。これにより、バスドラム用消音具は、遮音板による打撃音の低減性能を向上できる効果がある。
【００１０】
固定部がフープに接触した状態でフープに固定されるので、バスドラム用消音具は、請求項１の効果に加え、固定部が打面ヘッドに固定される場合と比べて打面ヘッドの自由な振動が妨げられることを抑制できる効果がある。
【００１１】
請求項３記載のバスドラム用消音具によれば、バスドラムの共鳴ヘッドに共鳴側遮音板が接触しているので、共鳴ヘッドの振動を抑制できる。その結果、バスドラム用消音具は、請求項１又は２の効果に加え、打撃音を低減できる効果がある。
【００１２】
請求項４記載のバスドラム用消音具によれば、打面ヘッドに装着される被打撃部がビータによる打撃位置に配置される。そのため、打面ヘッドの代わりに被打撃部がビータで打撃され、打面ヘッドと被打撃部とを一体的に振動させることができる。これにより、バスドラム用消音具は、打撃による打面ヘッドの自由な振動が妨げられることを抑制でき、アコースティックのバスドラム特有の音色を残存させることができる効果がある。
【００１３】
被打撃部が所定の弾性を有するので、バスドラム用消音具は、被打撃部を打撃したときの衝撃を緩衝できると共に、打撃時に被打撃部を介して打面ヘッドへ伝達される衝撃を緩衝できる。これにより、バスドラム用消音具は、請求項１から３のいずれかの効果に加え、被打撃部の打撃によって発生する打撃音を低減できる効果がある。
【００１４】
請求項５記載のバスドラム用消音具によれば、開口部の内周に接触しないように被打撃部が開口部を塞ぐので、打面ヘッドから発生する音を開口部から漏れ難くできる。従って、バスドラム用消音具は、請求項４の効果に加え、打撃音の低減性能を向上できる効果がある。
【００１５】
請求項６記載のバスドラム用消音具によれば、打面ヘッドに対する遮音板の高さと、打面ヘッドに対する被打撃部の高さとが同一である。その結果、請求項４又は５の効果に加え、バスドラム用消音具を取り付けたバスドラムの見栄えを良くできる効果がある。
【００１６】
請求項７記載のバスドラム用消音具によれば、被打撃部は、所定の弾性を有すると共にビータにより打撃される打面部と、打面部の周縁を支持する枠部とを備えている。振動を検出する振動センサが枠部に取り付けられるので、バスドラム用消音具は、アコースティックのバスドラムを電子ドラムとして利用することができる。
【００１７】
枠部の剛性が打面部の剛性よりも高く設定されるので、バスドラム用消音具は、打面部の振動に比べて枠部の振動を単純にできる。振動が単純な枠部に振動センサが取り付けられるので、バスドラム用消音具は、振動の誤検出を抑制して振動の検出精度を向上できる効果がある。
【００１８】
さらに、遮音板により打面ヘッドの打撃後の振動を早期に減衰できるので、打面ヘッドと一体的に振動する被打撃部の振動も早期に減衰されることが期待できる。被打撃部の枠部に振動センサが取り付けられるので、打撃後の振動の誤検出を抑制して打撃時の振動の検出精度の向上が期待できる。従って、バスドラム用消音具は、請求項４から６のいずれかの効果に加え、振動センサによる振動の検出精度を向上できる効果がある。
【００１９】
請求項８記載のバスドラムは、アコースティックのドラムであり、フープと、フープにより張力が付与される打面ヘッドとを備える。さらに、バスドラムには、請求項４から７のいずれかに記載のバスドラム用消音具が取り付けられる。被打撃部の周縁に設けられる複数の取付具を介して被打撃部が打面ヘッドに取り付けられ、打面ヘッドには複数の取付具に囲まれた部分を開放する打面開口部が設けられる。被打撃部の位置に打面開口部が位置するので、バスドラムは、請求項４から７のいずれかの効果に加え、打撃音を低減できる効果がある。
【図面の簡単な説明】
【００２０】
【図１】（ａ）は本発明の第１実施の形態におけるバスドラム用消音具が装着されたバスドラムの斜視図である。（ｂ）はバスドラム用消音具が装着されたバスドラムの正面図である。
【図２】バスドラム及びバスドラム用消音具の分解立体図である。
【図３】（ａ）は被打撃部の正面図である。（ｂ）は被打撃部の背面図である。
【図４】（ａ）は図１（ｂ）のＩＶａ−ＩＶａ線における非打撃時のバスドラム及びバスドラム用消音具の断面図である。（ｂ）は被打撃部が打撃された状態を示すバスドラム及びバスドラム用消音具の断面図である。
【図５】第２実施の形態におけるバスドラム用消音具が装着されたバスドラムの斜視図である。
【図６】図５のＶＩ−ＶＩ線における非打撃時のバスドラム及びバスドラム用消音具の切断部端面図である。
【発明を実施するための形態】
【００２１】
以下、本発明の好ましい実施の形態について、添付図面を参照して説明する。まず、図１（ａ）、図１（ｂ）及び図２を参照して、本発明の第１実施の形態におけるバスドラム１及びバスドラム用消音具１０（以下「消音具１０」と称す）について説明する。図１（ａ）は本発明の第１実施の形態における消音具１０が装着されたバスドラム１の斜視図である。図１（ｂ）は消音具１０が装着されたバスドラム１の正面図（奏者側から見た図）である。図２はバスドラム１及び消音具１０の分解立体図である。
【００２２】
図１（ａ）、図１（ｂ）及び図２に示すように、バスドラム１は、円筒状のシェル２の両端を円形状の膜である打面ヘッド３及び共鳴ヘッド４で塞いだアコースティックの打楽器である。バスドラム１は、打面ヘッド３が打撃されることで打撃音を発生する。バスドラム１において、円環状のフープ５に掛けられるフック６ａが、シェル２に固定されるラグ６ｂとチューニングボルト６ｃで繋がれる。バスドラム１において、チューニングボルト６ｃを締めることでラグ６ｂへ向かってフック６ａが移動し、打面ヘッド３及び共鳴ヘッド４の周縁がフープ５に押されて打面ヘッド３及び共鳴ヘッド４に張力が付与される。
【００２３】
バスドラム１には、打面ヘッド３を打撃するためのフットペダル７が装着される。フットペダル７は、ペダル７ａの踏み込みに応じて回転するビータ８で打面ヘッド３を打撃する。ビータ８の位置や長さ等が奏者の好みに応じて設定されることで、ビータ８による打面ヘッド３の打撃位置が決定される。
【００２４】
なお、本実施の形態では、打面ヘッド３のビータ８による打撃位置に膜厚方向に貫通する円形状の打面開口部３ａが設けられ、消音具１０の被打撃部２０で打面開口部３ａが覆われる。打面ヘッド３の代わりに被打撃部２０が打撃されることで、バスドラム１は打撃音を発生する。ビータ８による打撃位置とは、被打撃部２０が装着されていない場合には打面ヘッド３がビータ８で打撃される位置であり、被打撃部２０が装着されている場合には被打撃部２０がビータ８で打撃される位置である。打面ヘッド３をビータ８で直接打撃する場合と比べて、被打撃部２０をビータ８で打撃する場合のビータ８による打撃位置が被打撃部２０の厚さの分だけ奏者側に位置する。そのため、フットペダル７は、バスドラム１との間にスペーサ９を介してバスドラム１に装着される。
【００２５】
消音具１０は、バスドラム１に装着され、演奏時に発生する音量を低減させる。消音具１０は、遮音板１１と、共鳴側遮音板１５と、被打撃部２０とを備えている。被打撃部２０は、ビータ８による打撃位置に配置されると共に打面ヘッド３の奏者側の面に装着される。
【００２６】
遮音板１１は、打面ヘッド３を覆う円板状に形成される。遮音板１１は、打面ヘッド３から発生する打撃音を遮って打撃音を低減させる。遮音板１１は、接触部１２と、固定部１３とを備えている。
【００２７】
接触部１２は、円板状の木製の部材であり、打面ヘッド３に接触する。接触部１２は、板厚方向に貫通する開口部１４が略中央に設けられる。接触部１２は、後述する取付具２３の円板部２４を避けるように打面ヘッド３側の面に段差部１２ａが設けられる。接触部１２が木製の部材なので、即ち、接触部１２が多孔質な素材なので接触部１２（遮音板１１）の吸音性能を向上でき、打撃音を低減できる。なお、木製の部材としては、例えば、パーティクルボードや集成材、繊維板、合板、単板などが挙げられる。
【００２８】
固定部１３は、軟質ポリウレタンフォーム製であり、円環状に形成される。固定部１３は、接触部１２の周縁の全周に設けられる。接触部１２に固定部１３を接着することで接触部１２と固定部１３とが一体化される。固定部１３は、フープ５に圧入できる程度に固定部１３の外径がフープ５の内径よりも僅かに大きく形成される。これにより、固定部１３をフープ５に圧入して固定することで、遮音板１１がバスドラム１に装着される。さらに、固定部１３の外径寸法は、演奏時の振動や衝撃等によって、フープ５に圧入された固定部１３がフープ５に対して移動しないように設定されることが好ましい。
【００２９】
開口部１４は、ビータ８による打撃位置を開放するための円形状の穴である。そのため、ビータ８は、開口部１４を通って被打撃部２０を打撃できる。開口部１４は、遮音板１１をバスドラム１に装着したときに打面開口部３ａに対して同心円状に位置し、打面開口部３ａよりも径が大きく形成される。これにより、消音具１０は、被打撃部２０を装着するためのスペースである打面ヘッド３の奏者側の面を開口部１４の内側に確保できる。
【００３０】
共鳴側遮音板１５は、軟質ポリウレタンフォーム製であり、円板状に形成される。共鳴側遮音板１５は、共鳴ヘッド４の奏者側の面と接触する。共鳴側遮音板１５の外径は、シェル２の内径よりも大きく、シェル２の外径よりも小さく形成される。シェル２の端部と共鳴ヘッド４との間に共鳴側遮音板１５を挟んだ状態で、フープ５によって共鳴ヘッド４に張力を付与することで、共鳴側遮音板１５がバスドラム１に固定される。共鳴側遮音板１５は、共鳴ヘッド４の振動を抑制できるので、打撃音を低減できる。また、共鳴ヘッド４の打面ヘッド３側に共鳴側遮音板１５が位置するので、打面ヘッド３の打撃による衝撃により共鳴側遮音板１５が共鳴ヘッド４へ向かって押される。その結果、共鳴側遮音板１５が共鳴ヘッド４から離れることを抑制できる。
【００３１】
次に図３（ａ）、図３（ｂ）及び図４（ａ）を参照して被打撃部２０について説明する。図３（ａ）は被打撃部２０の正面図（奏者側から見た図）である。図３（ｂ）は被打撃部２０の背面図である。図４（ａ）は図１（ｂ）のＩＶａ−ＩＶａ線における非打撃時のバスドラム１及び消音具１０の断面図である。なお、図４（ａ）はフック６ａ、ラグ６ｂ及びチューニングボルト６ｃが省略して図示されている。
【００３２】
図３（ａ）、図３（ｂ）及び図４（ａ）に示すように、被打撃部２０は、円形状に形成され、打面ヘッド３の代わりに打撃される。被打撃部２０は、打面ヘッド３と一体的に振動すると共に、ビータ８による打撃の衝撃を緩衝して打面ヘッド３へ伝達する。被打撃部２０は、打面開口部３ａを覆う。被打撃部２０は、打面部２１と、枠部２２と、取付具２３とを備えている。
【００３３】
枠部２２の奏者側には、ピエゾアクチュエータから構成される振動センサ２６が取り付けられている。従って、被打撃部２０をバスドラム１に装着することで、バスドラム１を電子ドラムとして利用することができる。
【００３４】
打面部２１は、ビータ８で打撃される打面を構成する。打面部２１は、伸縮可能な網状素材から構成される（所定の弾性を有する）膜状の部位である。なお、打面部２１は網状素材に限らず、フィルム状の素材や、弾性を有する合成樹脂、ゴムなどから構成することも可能である。打面部２１は、その弾性により、打面部２１を打撃したときの衝撃を緩衝できると共に、打撃時に被打撃部２０を介して打面ヘッド３へ伝達される衝撃を緩衝できる。その結果、被打撃部２０を打撃したとき、打面部２１は、被打撃部２０から発生する打撃音を低減できると共に、打面ヘッド３から発生する打撃音を低減できる。
【００３５】
枠部２２は、打面部２１の周縁を支持すると共に打面ヘッド３の奏者側に配置される。枠部２２は、合成樹脂製の円環状の部材である。これにより、枠部２２が金属製である場合と比較して、枠部２２を軽量化できる。被打撃部２０を軽量化できるので、消音具１０は、ビータ８で被打撃部２０を打撃したときに被打撃部２０の慣性によってビータ８が受ける衝撃（反動）を小さくできる。その結果、消音具１０は、アコースティックのバスドラム１を打撃したときの感触に近づけることができる。また、消音具１０は、被打撃部２０を軽量化できるので、ビータ８で被打撃部２０を打撃したときに、打面ヘッド３の自由な振動が妨げられることを抑制できる。その結果、消音具１０は、アコースティックのバスドラム１特有の音色を残存させることができる。さらに、枠部２２が合成樹脂製なので、張力が付与された状態の打面部２１と共に枠部２２をインサート成形することで、打面部２１の周縁部分が枠部２２に固定される。
【００３６】
枠部２２は、内径が打面開口部３ａの径よりも大きい寸法に形成され、外径が開口部１４の径よりも僅かに小さい寸法に形成される。枠部２２の外径と開口部１４の径との差は、好ましくは１ｍｍ以上２０ｍｍ以下であり、さらに好ましくは２ｍｍ以上１０ｍｍ以下である。消音具１０は、枠部２２の外径と開口部１４の径との差が小さい程、開口部１４からの音漏れを抑制でき、打撃音の低減性能を向上できる。消音具１０は、枠部２２の外径と開口部１４の径との差が大きい程、打撃された被打撃部２０が遮音板１１（開口部１４の内周）に接触することを抑制できる。その結果、被打撃部２０と遮音板１１との接触によって打面ヘッド３の自由な振動が妨げられることを抑制できる。
【００３７】
取付具２３は、枠部２２と打面ヘッド３との間に隙間を設けつつ、打面ヘッド３に被打撃部２０を装着するための部材である。取付具２３は、枠部２２に設けられると共に接着テープにより打面ヘッド３に接着される。取付具２３は、枠部２２の周方向に複数配置され、打面ヘッド３の打面開口部３ａの周りに取り付けられる。本実施の形態では、取付具２３は枠部２２の周方向に等間隔に５個配置されている。なお、取付具２３が５個配置される場合に限らず、取付具２３を４個以下または６個以上配置することは可能である。消音具１０は、枠部２２の全体を打面ヘッド３に接着させる場合と比べて、取付具２３により被打撃部２０と打面ヘッド３との接触面積を抑制できる。その結果、被打撃部２０との接触によって打面ヘッド３の自由な振動が妨げられることを抑制できる。
【００３８】
取付具２３は、ゴム製の部材である。なお、取付具２３はゴム製に限らず、弾性を有する合成樹脂製の取付具２３を用いることが可能である。取付具２３は、弾性を有するので、ビータ８の打撃によって被打撃部２０から打面ヘッド３へ伝達される衝撃を取付具２３により緩衝でき、打撃音を低減できる。
【００３９】
取付具２３は、円板部２４と、軸部２５とを備えている。円板部２４は、接着テープが貼り着けられて打面ヘッド３に接着される。円板部２４は、打面ヘッド３と取付具２３との接着面積を確保できるので、打面ヘッド３から被打撃部２０を脱落し難くできる。軸部２５は、円柱状に形成され、円板部２４に立設されると共に枠部２２に固定される。
【００４０】
次に、図４（ａ）に加え、図４（ｂ）を参照して、消音具１０の機能について説明する。図４（ｂ）は被打撃部２０が打撃された状態を示すバスドラム１及び消音具１０の断面図である。なお、図４（ｂ）はフック６ａ、ラグ６ｂ及びチューニングボルト６ｃが省略して図示されている。
【００４１】
図４（ａ）に示すように、ビータ８による非打撃時には接触部１２の片面の略全面が打面ヘッド３に接触している。図４（ｂ）に示すように、被打撃部２０がビータ８で打撃されると、被打撃部２０を介して打面ヘッド３がビータ８で押される。そのため、遮音板１１（接触部１２）から打面ヘッド３が離れ、打面ヘッド３と遮音板１１との接触面積が減少する。打面ヘッド３と遮音板１１との接触によって打面ヘッド３の自由な振動が妨げられることを抑制できるので、消音具１０は、アコースティックのバスドラム１特有の音色を残存させることができる。
【００４２】
ビータ８による打撃後、被打撃部２０からビータ８が離れ、被打撃部２０を介して打面ヘッド３がビータ８で押されなくなると、遮音板１１へ向かって打面ヘッド３が移動する。これにより、打面ヘッド３と遮音板１１との接触面積が増加する。消音具１０は、打面ヘッド３と遮音板１１との接触によって打面ヘッド３の振動を早期に減衰できるので、打撃後の打撃音を低減できる。従って、消音具１０は、打撃音を低減させつつ、アコースティックのバスドラム１特有の音色を残存させることができる。
【００４３】
非打撃時には接触部１２の片面（打面ヘッド３側の面）の略全面が打面ヘッド３に接触している、即ち、遮音板１１（接触部１２）と打面ヘッド３とが密着している。そのため、被打撃部２０がビータ８で打撃されて打面ヘッド３が遮音板１１（接触部１２）から離れるときに遮音板１１と打面ヘッド３との間が減圧される。これにより、消音具１０は、打撃時に打面ヘッド３を遮音板１１から離れ難くできるので、打面ヘッド３の振幅を小さくでき、打撃音を低減できる。さらに、消音具１０は、フープ５に圧入される固定部１３により固定部１３とフープ５との間が密閉されるので、遮音板１１と打面ヘッド３との間への空気の進入経路を開口部１４側に限定できる。その結果、消音具１０は、遮音板１１から打面ヘッド３をより離れ難くできるので、打面ヘッド３の振幅をより小さくでき、打撃音をより低減できる。また、消音具１０は、打撃時に打面ヘッド３の振幅が最も大きくなる部分である被打撃部２０の位置に打面開口部３ａが位置するので、打撃音を低減できる。
【００４４】
消音具１０は、段差部１２ａにより円板部２４と接触部１２との干渉を防止できるので、打面ヘッド３と接触部１２との接触面積を確保できる。消音具１０は、打撃後、遮音板１１との接触による打面ヘッド３の振動の減衰性能を確保できるので、打撃音の低減性能を確保できる。また、演奏時の振動や衝撃等によって、フープ５に圧入された固定部１３がフープ５に対して移動しないように固定部１３の外径寸法が設定される。その結果、消音具１０は、演奏中に打撃音の低減性能が低下しないようにでき、打撃音の低減性能を確保できる。
【００４５】
固定部１３は、軟質ポリウレタンフォーム製なので、接触部１２を介して打面ヘッド３の振動を減衰できる。これにより、消音具１０は、遮音板１１による打撃音の低減性能を向上できる。また、固定部１３がフープ５に固定されるので、消音具１０は、固定部１３が打面ヘッド３に固定される場合と比べて打面ヘッド３の自由な振動が妨げられることを抑制できる。
【００４６】
固定部１３がフープ５に固定される場合、打撃時の打面ヘッド３からの振動が固定部１３を介してフープ５に伝達されることで、シェル２（バスドラム１全体）が振動して異音を発生するおそれがある。しかし、固定部１３が軟質ポリウレタンフォーム製なので、消音具１０は、固定部１３を介してフープ５に伝達される振動を減衰できる。よって、消音具１０は、シェル２（バスドラム１全体）が振動することによる異音の発生を抑制できる。
【００４７】
合成樹脂製の枠部２２は、網状素材である打面部２１よりも剛性が高いので、打撃による打面部２１の振動や打面ヘッド３の振動に比べて枠部２２の振動を単純にできる。振動が単純な枠部２２に振動センサ２６が取り付けられるので、消音具１０は、振動の誤検出を抑制して振動の検出精度を向上できる。
【００４８】
奏者の好みに応じてビータ８の長さが設定されることで、ビータ８による打撃位置は上下に変化する。また、２つのビータ８を有するツインペダルをフットペダル７の代わりに奏者が用いる場合、ビータ８による打撃位置が左右に広がる。これらのビータ８による打撃位置に打面部２１が位置するように打面部２１の寸法が設定される。打面部２１に振動センサ２６が取り付けられる場合、ビータ８による打撃位置によって振動センサ２６の感度が変化することがある。本実施の形態では打面部２１の周縁を支持する枠部２２に振動センサ２６が取り付けられるので、消音具１０は、ビータ８による打撃位置が異なっても振動センサ２６の感度分布を均一にできる。
【００４９】
消音具１０は、遮音板１１により打面ヘッド３の打撃後の振動を早期に減衰できるので、打面ヘッド３と一体的に振動する被打撃部２０の振動も早期に減衰させることが期待できる。被打撃部２０の枠部２２に振動センサ２６が取り付けられるので、消音具１０は、打撃後の振動の誤検出を抑制して打撃時の振動の検出精度の向上が期待できる。
【００５０】
振動センサ２６を取り付けたバスドラム１の近くに置いたアコースティックのスネアドラムやタム（図示せず）を奏者が鳴らす場合、バスドラム１の打面ヘッド３が共鳴することがある。その共鳴による打面ヘッド３の振動を振動センサ２６が検出して、振動センサ２６に繋いだスピーカ等が誤発音することがある。しかし、本実施の形態では、打面ヘッド３に遮音板１１が接触している。そのため、消音具１０は、打面ヘッド３が共鳴により振動することを抑制できると共に、打面ヘッド３が共鳴したとしても打面ヘッド３の振動を小さくできる。従って、消音具１０は、共鳴による打面ヘッド３の振動の誤検出を抑制して誤発音を抑制できる。
【００５１】
次に図５及び図６を参照して第２実施の形態におけるバスドラム用消音具３１（以下「消音具３１」と称す）について説明する。第１実施の形態では、被打撃部２０が打面ヘッド３の奏者側の面に装着される場合について説明した。これに対し第２実施の形態では、被打撃部４０が打面ヘッド３の共鳴ヘッド４側の面に装着される場合について説明する。なお、第１実施の形態と同一の部分については、同一の符号を付して以下の説明を省略する。
【００５２】
図５は第２実施の形態における消音具３１が装着されたバスドラム３０の斜視図である。図６は図５のＶＩ−ＶＩ線における非打撃時のバスドラム３０及び消音具３１の切断部端面図である。図５及び図６に示すように、消音具３１は、バスドラム３０に装着され、演奏時に発生する音量を低減させる。消音具３１は、遮音板３２と、被打撃部４０とを備えている。被打撃部４０は、円形状に形成され、打面ヘッド３の共鳴ヘッド４側の面に装着される。被打撃部４０は、打面開口部３ａを通して奏者側に張り出すことで、打面ヘッド３の代わりにビータ８で打撃される。
【００５３】
遮音板３２は、円板状に形成され、打面ヘッド３を覆う。遮音板３２は、打面ヘッド３から発生する打撃音を遮って打撃音を低減させる。遮音板３２は、接触部１２と、固定部３３とを備えている。接触部１２は、円板状の木製の部材であり、打面ヘッド３に接触する。接触部１２は、板厚方向に貫通する円形状の開口部３６が略中央に設けられる。接触部１２は、後述する取付具４１の円板部４２を避けるように打面ヘッド３側の面に段差部１２ａが設けられる。
【００５４】
固定部３３は、ウレタンゴム製であり、円環状に形成される。固定部３３は、接触部１２の周縁の略全周に設けられる。固定部３３は、周縁からフープ５に沿って固定部３３の軸直方向外側へ延びるウレタンゴム製の延出部３４が一体に形成される。なお、延出部３４は、ウレタンゴム製に限らず、固定部３３の材質とは異なる非金属製や金属製にすることが可能である。この場合、延出部３４を固定部３３に埋め込んだり延出部３４を固定部３３に接着したりすることで固定部３３と延出部３４とが一体化される。
【００５５】
固定部３３は、接触部１２の外周面に接着される。打面ヘッド３に遮音板３２を重ねた状態でフープ５が取り付けられることで、打面ヘッド３とフープ５との間に延出部３４が挟まれ、シェル２に遮音板３２が固定される。これにより、消音具３１は、演奏時の振動や衝撃等によって、遮音板３２が打面ヘッド３から離れることを防止できる。
【００５６】
開口部３６は、ビータ８による打撃位置を開放するための円形状の穴である。そのため、ビータ８は、開口部３６を通って被打撃部４０を打撃できる。開口部３６は、遮音板３２をバスドラム３０に装着したときに打面開口部３ａに対して同心円状に配置され、打面開口部３ａよりも僅かに径が大きい。これにより、消音具３１は、打面開口部３ａから張り出す被打撃部４０と開口部３６との隙間を小さくしつつ、打撃された被打撃部４０が遮音板３２（開口部３６の内周）に接触することを抑制できる。その結果、消音具３１は、被打撃部４０と開口部３６との間からの音漏れを少なくできると共に、被打撃部４０と遮音板３２との接触によって打面ヘッド３の自由な振動が妨げられることを抑制できる。
【００５７】
被打撃部４０は、打面ヘッド３の代わりにビータ８で打撃されることで、打面ヘッド３と一体的に振動すると共に、ビータ８による打撃の衝撃を緩衝して打面ヘッド３へ伝達する。被打撃部４０は、打面ヘッド３の共鳴ヘッド４側の面に装着されると共に打面開口部３ａから奏者側に張り出す。これにより、被打撃部４０は、ビータ８で打撃される場合の打撃位置を、打面ヘッド３を直接打撃する場合の打撃位置に近づけることができる。そのため、バスドラム３０とフットペダル７との間にスペーサを設ける必要はなく、バスドラム３０にフットペダル７を直接装着できる。なお、バスドラム３０にフットペダル７が直接装着されるので、遮音板３２は、フットペダル７と干渉しないように下部の縁を切り欠いて切欠部３２ａを設けている。
【００５８】
被打撃部４０は、打面部２１と、枠部２２と、取付具４１と、クッション部４７と、硬質体４８とを備えている。枠部２２は、打面ヘッド３の共鳴ヘッド４側に配置される。クッション部４７及び硬質体４８が打面開口部３ａから奏者側に張り出す部位である。
【００５９】
被打撃部４０の枠部２２の共鳴ヘッド４側に、ピエゾアクチュエータから構成される振動センサ２６が取り付けられる。従って、消音具３１は、被打撃部４０をバスドラム３０に装着することで、バスドラム３０を電子ドラムとして利用することができる。なお、振動センサ２６からの配線（図示せず）をバスドラム３０の外部の機器（図示せず）に繋ぐには、被打撃部４０と開口部３６との間から配線を通す場合や、打面ヘッド３及び遮音板３２の任意の位置に空けた穴（図示せず）に配線を通す場合が挙げられる。
【００６０】
取付具４１は、枠部２２を打面ヘッド３に取り付けるためのゴム製のピンである。取付具４１は、円板部４２と、軸部４３とを備えている。軸部４３は、円板部４２の中心に立設される円柱状の部位である。枠部２２を軸方向に貫通して設けられる断面円形状の貫通孔２２ａ、及び、打面ヘッド３を膜厚方向に円形状に貫通して設けられる貫通孔３ｂに軸部４３が圧入されることで、打面ヘッド３に被打撃部４０が装着される。なお、取付具４１はゴム製に限らず、弾性を有する合成樹脂製の取付具４１を用いることが可能である。
【００６１】
貫通孔２２ａは、小径部２２ｂと、大径部２２ｃとを備える。大径部２２ｃは、小径部２２ｂよりも打面ヘッド３側に位置し、小径部２２ｂよりも径が大きい。貫通孔２２ａは、枠部２２の周方向の５箇所に等間隔に設けられる。貫通孔３ｂは、大径部２２ｃと略同一の径の穴である。貫通孔３ｂは、打面開口部３ａの周りであって貫通孔２２ａに対応する位置にそれぞれ設けられる。
【００６２】
軸部４３は、貫通孔３ｂ及び大径部２２ｃと略同一の径である。軸部４３は、先端部４４と、円環部４５と、溝部４６とを備えている。
【００６３】
先端部４４は、貫通孔２２ａ及び貫通孔３ｂに軸部４３を挿入し易くするための部位である。先端部４４は、先端へ向かって徐々に縮径するテーパ状に形成される。円環部４５は、貫通孔３ｂに軸部４３を挿入し易くすると共に、円板部４２との間に打面ヘッド３を嵌めることで軸部４３を打面ヘッド３に固定するための部位である。円環部４５は、円板部４２との間に打面ヘッド３の膜厚分の間隔を設けて円環状に拡径される。溝部４６は、先端部４４及び円環部４５の間に設けられる凹状の部位である。溝部４６は、小径部２２ｂと略同一の径であり、小径部２２ｂと略同一の長さである。そのため、小径部２２ｂを溝部４６に嵌めることで、軸部４３を枠部２２に固定できる。
【００６４】
軸部４３は、貫通孔２２ａの大径部２２ｃの長さよりも、円板部４２から溝部４６までの長さが大きくなるように設定される。そのため、消音具３１は、枠部２２と打面ヘッド３との間に隙間を設けつつ、打面ヘッド３に被打撃部４０を装着できる。消音具３１は、枠部２２の全体を打面ヘッド３に接着させる場合と比べて、取付具４１により被打撃部４０と打面ヘッド３との接触面積を抑制できる。その結果、被打撃部４０との接触によって打面ヘッド３の自由な振動が妨げられることを抑制できる。
【００６５】
クッション部４７は、円柱状の軟質ポリウレタンフォーム製であり、打面部２１の奏者側の面に取り付けられる。クッション部４７は、外径が打面開口部３ａの径よりも僅かに小さい寸法に形成される。これにより、打撃時、クッション部４７が打面ヘッド３（打面開口部３ａの内周）に接触することを防止できる。その結果、消音具３１は、ゴム製の取付具４１を介して互いに接続される打面ヘッド３及び被打撃部４０のそれぞれの自由な振動が妨げられることを抑制できる。
【００６６】
硬質体４８は、円形状の織布であり、クッション部４７の打面部２１に取り付けられる面とは反対側の面に設けられる。硬質体４８は、クッション部４７よりも硬質であり、クッション部４７の外径寸法と略同じ寸法に形成される。なお、クッション部４７は軟質ポリウレタンフォーム製に限らず、その他の軟質の発泡合成樹脂を用いることが可能である。硬質体４８は織布に限らず、不織布やゴムシートなどを用いることは可能であり、クッション部４７よりも硬質で耐摩耗性の高いものが好ましい。
【００６７】
ビータ８により硬質体４８が打撃されると、消音具３１は、クッション部４７により打面部２１への衝撃を緩衝できる。これにより、消音具３１は、被打撃部４０が打撃されることで発生する打撃音を低減できる。硬質体４８は、クッション部４７よりも硬質なので撓み難い。これにより、ビータ８による打撃位置は略一定であるが、消音具３１は、打撃時に硬質体４８からクッション部４７や打面部２１に加わる衝撃を分散させることができる。これにより、クッション部４７及び打面部２１の一部に衝撃が集中することに起因してクッション部４７の一部が劣化することを抑制できると共に、打面部２１の一部が伸びることを抑制できる。その結果、消音具３１は、クッション部４７及び打面部２１の耐久性を向上できる。
【００６８】
被打撃部４０は、ビータ８により打撃される面である。被打撃部４０は、最も奏者側に位置する面である硬質体４８までの打面ヘッド３からの高さが、打面ヘッド３から遮音板３２の奏者側の面までの高さと同一になるように設定される。これにより、消音具３１を取り付けたバスドラム３０の見栄えを良くできる。
【００６９】
以上、実施の形態に基づき本発明を説明したが、本発明は上記実施の形態に何ら限定されるものではなく、本発明の趣旨を逸脱しない範囲内で種々の改良変形が可能であることは容易に推察できる。例えば、上記各実施の形態では、打面ヘッド３に被打撃部２０，４０が装着される場合について説明したが、必ずしもこれに限られるものではない。被打撃部２０，４０を省略することは当然可能である。この場合、被打撃部２０，４０が装着される位置の打面ヘッド３に設けられた打面開口部３ａも省略することで、ビータ８は開口部１４，３６を通して打面ヘッド３を直接打撃できる。
【００７０】
上記第１実施の形態では、打面ヘッド３に打面開口部３ａが設けられる場合について説明したが、必ずしもこれに限られるものではない。打面開口部３ａを省略することは当然可能である。即ち、打面開口部３ａを設けないで被打撃部２０を打面ヘッド３に装着することは当然可能である。
【００７１】
上記第１実施の形態では、被打撃部２０が打面ヘッド３の奏者側の面に装着される場合について説明した。また、上記第２実施の形態では、被打撃部４０が打面ヘッド３の共鳴ヘッド４側の面に装着される場合について説明した。しかし、必ずしもこれらに限られるものではない。打面部２１を打面開口部３ａの位置に配置した状態で、打面ヘッド３及び打面部２１を１対の枠部で両側から挟み込むことで、被打撃部を打面ヘッド３に装着することは当然可能である。
【００７２】
上記第１実施の形態では、打面部２１と枠部２２と取付具２３とを備える被打撃部２０について説明した。また、第２実施の形態では、打面部２１、枠部２２及び取付具４１に加えクッション部４７と硬質体４８とを備える被打撃部４０について説明した。しかし、必ずしもこれらに限られるものではない。打面部２１、枠部２２及び取付具２３，４１を省略して打面ヘッド３にクッション部４７を接着等により直接取り付けることは当然可能である。また、打面部２１を省略してクッション部４７の周縁を枠部２２で支持することも可能である。また、取付具２３を省略して枠部２２の全体を打面ヘッド３に取り付けることも可能である。
【００７３】
また、被打撃部２０にクッション部４７及び硬質体４８を適用することは当然可能である。この場合、打面部２１に対する枠部２２の高さと同一になるように、打面部２１に対する硬質体４８の高さを設定することで、被打撃部２０の見栄えをよくできる。さらに、打面ヘッド３に対する被打撃部２０（枠部２２及び硬質体４８）の高さと、打面ヘッド３に対する遮音板１１の高さとが同一になるように設定することが可能である。これにより、消音具１０を取り付けたバスドラム１の見栄えをさらに良くできる。
【００７４】
上記各実施の形態では、接触部１２の周縁の略全周に固定部１３，３３が設けられる場合について説明したが、必ずしもこれに限られるものではない。接触部１２の周縁の一部に固定部を設けることは当然可能である。
【００７５】
上記各実施の形態では、固定部１３，３３がフープ５に固定される場合について説明したが、必ずしもこれに限られるものではない。固定部を打面ヘッド３に接着して固定することも可能である。この場合、固定部とフープ５との間に所定の隙間が空くように固定部（遮音板）の寸法または形状を設定することで、遮音板により打面ヘッド３の一部を覆うことが可能である。また、フック６ａと打面ヘッド３との間に固定部を挟むことで、固定部を打面ヘッド３に固定することも可能である。また、フープ５に固定部を接着して固定することも可能である。
【００７６】
上記各実施の形態では、接触部１２が木製の部材である場合について説明したが、必ずしもこれに限られるものではない。打撃時の衝撃によって接触部が変形したとしても、ビータ８で押されている打面ヘッド３と接触しない程度の剛性を有すれば、接触部の素材は適宜変更可能である。例えば、合成樹脂製やゴム製の接触部が挙げられる。特に、硬質の発泡合成樹脂や、発泡ゴムを接触部に用いることで、接触部（遮音板）の吸音特性を向上でき、打撃音を低減できる。硬質の発泡合成樹脂としては、ポリウレタンフォーム、ポリイソシアヌレートフォーム、フェノールフォーム、ポリスチレンフォーム、ポリエチレンフォーム、ポリプロピレンフォームなどが挙げられる。
【００７７】
上記第１実施の形態では、固定部１３が軟質ポリウレタンフォーム製である場合について説明した。また、上記第２実施の形態では固定部３３がウレタンゴム製である場合について説明した。しかし、必ずしもこれらに限られるものではない。その他の軟質の発泡合成樹脂（ポリエチレンフォーム、ポリオレフィンフォーム、ポリ塩化ビニルフォーム、メラミンフォーム、ポリイミドフォームなど）や、その他のゴムを固定部に用いることは当然可能である。また、弾性を有する熱可塑性エラストマ等の合成樹脂を固定部に用いることも可能である。なお、接触部および固定部の素材が同一の場合、接触部と固定部とを一体に成形することが可能である。また、接触部および固定部の素材が異なる場合でも素材の組み合わせによっては、二色成形などで接触部と固定部とを熱融着して接触部と固定部とを一体に成形することが可能である。
【００７８】
上記各実施の形態では、共鳴側遮音板１５が軟質ポリウレタンフォーム製である場合について説明したが、必ずしもこれに限られるものではない。共鳴側遮音板１５の素材は適宜変更可能である。例えば、その他の合成樹脂や、ゴム、木材、布などを共鳴側遮音板に用いることは当然可能である。特に、バスドラム用消音具は、発泡合成樹脂や発泡ゴムを共鳴側遮音板に用いることで、共鳴側遮音板の吸音特性を向上でき、打撃音を低減できる。
【００７９】
上記第１実施の形態では、シェル２の端部と共鳴ヘッド４との間に共鳴側遮音板１５が挟まれて固定される場合について説明したが、必ずしもこれに限れるものではない。共鳴側遮音板１５の周縁に弾性を有する合成樹脂やゴムを設け、共鳴側遮音板１５をシェル２に圧入して固定することや、共鳴ヘッド４に共鳴側遮音板１５を接着して固定することは当然可能である。共鳴ヘッド４に共鳴側遮音板１５を接着する場合、共鳴側遮音板１５をシェル２と接触しないように共鳴ヘッド４の打面ヘッド３側の面に全面接着することが好ましい。このときの共鳴側遮音板１５は、シェル２の内径よりも僅かに小さい外径を有し、厚さが約１０ｍｍの軟質ポリウレタンフォーム製であることが好ましい。また、共鳴ヘッド４の打面ヘッド３側とは反対側の面に共鳴側遮音板１５を接着することも可能である。この場合、共鳴ヘッド４と共鳴側遮音板１５とが接着されているので、打撃時の衝撃によって共鳴側遮音板１５が共鳴ヘッド４から離れることを防止できる。
【００８０】
また、共鳴ヘッド４を省略して、フープ５で共鳴側遮音板１５の周縁を押して共鳴側遮音板１５のみをシェル２に固定することも可能である。さらに、共鳴ヘッド４の有無に係わらず、共鳴側遮音板１５を省略することも可能である。
【００８１】
また、共鳴ヘッド４に開口を設け、その開口を共鳴ヘッド４の内側（打面ヘッド３側）から共鳴側遮音板１５で塞ぐことが可能である。このときの共鳴側遮音板１５は、シェル２の内径と同じか、それよりも僅かに小さい外径であり、厚さが数ｍｍ程度の発泡合成樹脂で構成されて所定の通気性を有する。つまり、開口を設けた共鳴ヘッド４の内側に、通気性を有する共鳴側遮音板１５が接着される。これにより、バスドラム用消音具は、打面ヘッド３が打撃されたときにシェル２内で圧縮された空気を、共鳴ヘッド４に設けた開口および共鳴側遮音板１５から適度にシェル２外へ排出できる。その結果、バスドラム用消音具は、共鳴ヘッド４の振動を抑制でき、打撃音を低減できる。なお、バスドラム用消音具は、共鳴側遮音板１５の外周側のみを共鳴ヘッド４に接着することで、シェル２内の空気を外部へより適度に排出でき、打撃音をより低減できる。
【００８２】
上記第１実施の形態では、取付具２３の接着テープにより打面ヘッド３に接着されて打面ヘッド３に被打撃部２０が装着される場合について説明した。また、上記第２実施の形態では、ピンである取付具４１により打面ヘッド３に被打撃部４０が装着される場合について説明した。しかし、必ずしもこれらに限られるものではない。取付具として吸盤や粘着剤、ボルト及びナットなどを用いて打面ヘッド３に被打撃部を装着することは当然可能である。
【００８３】
上記各実施の形態では、被打撃部２０，４０にピエゾアクチュエータから構成される振動センサ２６が取り付けられる場合について説明したが、必ずしもこれに限られるものではない。電磁誘導型の振動センサや静電容量型の振動センサを用いることは当然可能である。また、振動センサ２６を取り付けずに、消音具１０，３１を装着したバスドラム１，３０を練習用のバスドラムとして使用することも可能である。
【００８４】
上記第１，２実施の形態における被打撃部２０，４０に錘を取り付けることが可能である。消音具１０，３１は、その錘の質量により被打撃部２０，４０が装着される打面ヘッド３の振動を抑制でき、打撃音を低減できる。例えば、第２実施の形態では、被打撃部４０の枠部２２の外径と略同じ外径を有する鉄製等の板材を錘とし、その板材を枠部２２の共鳴ヘッド４側に取付具４１で固定することが可能である。より詳しくは、枠部２２の貫通孔２２ａの小径部２２ｂと同じ位置に同じ径の貫通孔を板材に設け、枠部２２の貫通孔２２ａに取付具４１の軸部４３を圧入する。さらにその後、板材の貫通孔に軸部４３を圧入することで、板材を被打撃部４０に取り付けることができる。さらに、その板材に別の板材をボルト及びナットやリベット等で装着したり、板材の材質や厚さを変えて板材の質量を変えたりすることで、被打撃部４０に取り付ける錘（板材）の質量を調整できる。
【００８５】
また、被打撃部４０に取り付けた板材の共鳴ヘッド４側の中心に振動センサ２６を取り付けることで、被打撃部４０からの振動を振動センサ２６に均等に伝えることができる。その結果、バスドラム用消音具は、ビータ８による打撃位置が異なっても振動センサ２６の感度分布を均一にできる。
【００８６】
また、被打撃部４０に取り付けた板材と打面部２１との間に発泡合成樹脂等のクッションを挟むことも可能である。そのクッションにより板材と打面部２１との間の空気の振動を抑制できるので、バスドラム用消音具はさらに打撃音を低減できる。
【符号の説明】
【００８７】
１，３０    バスドラム
３          打面ヘッド
３ａ        打面開口部
５          フープ
７          フットペダル
８          ビータ
１０，３１  バスドラム用消音具
１１，３２  遮音板
１２        接触部
１３，３３  固定部
１４，３６  開口部
１５        共鳴側遮音板
２０，４０  被打撃部
２１        打面部
２２        枠部
２３，４１  取付具
２６        振動センサ
【国際調査報告】
2017038226.tif 000009
2017038226.tif 000010
2017038226.tif 000011
2017038226.tif 000012